(57)【要約】【課題】吹矢の的における点数表示部に多数の穴が開いたときには、台部を交換することなく、該点数表示部の全部又は該点数表示部における中心部附近のみに新しい点数表示手段を取り付けることができるようにした吹矢の的を提供する。【解決手段】発泡体により形成した台部３の表面には中心円部と該中心円部の外方に該中心円部と同心に配設された環帯部とを有する点数表示部５を備えた的本体１と、該的本体における点数表示部に矢により多数の穴が開いたときに該点数表示部上に着脱自在に取り付ける予備用点数表示部１１とよりなり、該予備用点数表示部は、中心円部１１ａと該中心円部の外方に該中心円部と同心に配設された環帯部１１ｂ、１１ｃ・・・とを有することを特徴とする吹矢の的。【選択図】図１
0003158485.tif 000002
【実用新案登録請求の範囲】
【請求項１】
発泡体により形成した台部の表面には中心円部と該中心円部の外方に該中心円部と同心に配設された環帯部とを有する点数表示部を備えた的本体と、              
該的本体における点数表示部に矢により多数の穴が開いたときに該点数表示部上に着脱自在に取り付ける予備用点数表示部とよりなり、
該予備用点数表示部は、中心円部と該中心円部の外方に該中心円部と同心に配設された環帯部とを有することを特徴とする吹矢の的。
【請求項２】
前記予備用点数表示部は、中心円部と該中心円部近傍の環帯部のみを有することを特徴とする請求項１に記載の吹矢の的。
【考案の詳細な説明】
【技術分野】
【０００１】
本考案は、吹矢の的に関するものであり、特に吹矢の練習用に適した吹矢の的に係るものである。
【背景技術】
【０００２】
吹矢は、針状の尖端を備えた矢を筒体内に装填し、該筒体の一端から吐息を吹き込んで該筒体の他端から該矢を飛ばすようにした飛び道具である。
【０００３】
吹矢は、狩猟用具ないし武器として古くから知られているが、最近ではスポーツ用具として普及している。すなわち、吹矢は、健全なスポーツ競技として多くの人々に愛好されている。
【０００４】
スポーツ競技としての吹矢においては、競技者は、標的たる的から一定の距離を置いた位置にて筒体を用いて複数本の矢を的に向かって放ち、該矢が的を射た命中精度により点数を競うのである。
【０００５】
このようなスポーツ競技たる吹矢における的としては、先に本出願人が提案した実用新案登録第３１５１８８７号公報に示すもの（以下「従来の吹矢の的」という。）が知られている。
【０００６】
上記従来の吹矢の的は、発泡体により形成した台部の表面には中心円層と該中心円層の外方に該中心円層と同心に配設された環帯層とを有する点数表示部を該台部と一体に備えさせてなるものである。
【先行技術文献】
【特許文献】
【０００７】
【特許文献１】実用新案登録第３１５１８８７号公報
【考案の概要】
【考案が解決しようとする課題】
【０００８】
上記従来の吹矢の的は、好ましいものではあるが、なお、次のような問題がある。
【０００９】
すなわち、上記従来の吹矢の的は、発泡体により形成した台部の表面に点数表示部を該台部と一体に備えさせてなるものであるため、使用するにつれ、矢が突き刺さることにより、点数表示部に多数の穴が形成される。吹矢の競技者は台部における点数表示部の中心を狙って矢を放つため、競技者が優れた技量を有する場合には、該点数表示部における中心部近傍に矢の穴が集中する。点数表示部における特に中心部近傍に多数の穴が開いている吹矢の的は、外観上のみならず、使用上も好ましくない。
【００１０】
吹矢の的における点数表示部に多数の穴が開いたときには、当該吹矢の的を新しいものと交換すればよいのであるが、点数表示部に多数の穴が開いたときに吹矢の的全体を新しいものと交換することは、特に吹矢の練習においては不経済であるのみならず、材料の無駄を生じ、徒にゴミを発生させることになる。
【００１１】
このような状況に鑑み、本考案は、吹矢の的における点数表示部に多数の穴が開いたときには、台部を交換することなく、該点数表示部の全部又は該点数表示部における中心部附近のみに新しい点数表示手段を取り付けることができるようにした吹矢の的を提供しようとしてなされたものである。
【課題を解決するための手段】
【００１２】
上記課題を解決するために、本考案は、下記の如き吹矢の的を提供するものである。
【００１３】
（１）発泡体により形成した台部の表面には中心円部と該中心円部の外方に該中心円部と同心に配設された環帯部とを有する点数表示部を備えた的本体と、              
該的本体における点数表示部に矢により多数の穴が開いたときに該点数表示部上に着脱自在に取り付ける予備用点数表示部とよりなり、
該予備用点数表示部は、中心円部と該中心円部の外方に該中心円部と同心に配設された環帯部とを有することを特徴とする吹矢の的（請求項１）。
【００１４】
（２）前記予備用点数表示部は、中心円部と該中心円部近傍の環帯部のみを有する（請求項２）。
【考案の効果】
【００１５】
［請求項１の考案］
的本体の点数表示部に多数の穴が開いたときには、台部を交換することなく、該点数表示部上に新しい点数表示手段としての予備用点数表示部を取り付けることにより、吹矢の的を何らの支障もなく引き続き使用することができる。したがって、点数表示部に多数の穴が開いたときに吹矢の的全体を新しいものと交換する場合に比べて、極めて経済的であり、材料の無駄、ゴミの発生等を防止することができる。的本体の点数表示部上に取り付けた予備用点数表示部に多数の穴が開いたときには、該予備用点数表示部を取り外して更に新しい予備用点数表示部と交換することもできる。この吹矢の的は、特に吹矢の練習用に適している。なお、吹矢の的を使用していないときには、予備用点数表示部は、適宜、的本体と共に保管される。
【００１６】
［請求項２の考案］
予備用点数表示部は、中心円部と該中心円部近傍の環帯部のみを有するものであり、換言すれば、点数表示部の中心部附近のみよりなるものである。図１、図２参照。競技者が優れた技量を有する場合には、台部の点数表示部における中心部近傍に矢の穴が集中する。請求項２の考案による予備用点数表示部は、矢の穴が集中する点数表示部の中心部附近のみよりなるため、一層経済的であり、材料の無駄、ゴミの発生等を更に効果的に防止することができる。
【図面の簡単な説明】
【００１７】
【図１】図１は、本考案による吹矢の的において、的本体の点数表示部上に予備用点数表示部を取り付けた状態を示す斜視図である。
【図２】図２は、前記予備用点数表示部を示す斜視図である。
【図３】図３は、別の予備用点数表示部を示す斜視図である。
【図４】図４は、図１における的本体と予備用点数表示部とを示す断面図である。
【図５】図５は、同上的本体に予備用点数表示部を取り付けた状態を示す側面図である。
【図６】的本体を示す斜視図である。
【考案を実施するための形態】
【００１８】
本考案による吹矢の的は、的本体１と、該的本体１とは別体の予備用点数表示部１１とよりなる。
【００１９】
的本体１は、例えば、吊り下げ紐等の吊下げ手段により壁面に吊り下げ、或いは支持台上に立設させる等により、直立させた状態で使用される。
【００２０】
的本体１は、一例として図６に示すように、発泡体により形成した台部３の表面に点数表示部５を備えている。
【００２１】
台部３は、例えば、正方形、円形、菱形等の正面形状を備えている。
【００２２】
台部３は発泡体により形成する。台部３を形成する発泡体は、例えば、ポリエチレン系樹脂、ポリスチレン系樹脂、ポリウレタン系樹脂、ゴム類等を発泡させてなるものであるが、発泡体を構成する材料はこれらのものに限定されない。
【００２３】
点数表示部５は、中心円部５ａと該中心円部５ａの外方に該中心円部５ａと同心に配設された環帯部５ｂ、５ｃ・・・とを有する。
【００２４】
すなわち、点数表示部５は、一例として、台部３の中心に配設された中心円部５ａと、該中心円部５ａの外方に該中心円部５ａと同心に配設された環帯部５ｂ、５ｃ、５ｄ、５ｅとを有している。
【００２５】
図６に示す事例においては、中心円部５ａと環帯部５ｃと環帯部５ｅとがそれぞれ着色され、環帯部５ｂと環帯部５ｄとには台部３の表面が露出している。符号５ｆに示すものは、環帯部５ｅの外側部である。
【００２６】
例えば、台部３の表面は白色とし、中心円部５ａは黒色、環帯部５ｃは赤色、環帯部５ｅは黒色とし、環帯部５ｂと環帯部５ｄとには台部３の白色の表面が露出している。なお、外側部５ｆには台部３の表面の白色が露出している。
【００２７】
中心円部５ａと環帯部５ｃと環帯部５ｅは、例えばインキ又は塗料により形成する。中心円部５ａと環帯部５ｃと環帯部５ｅは、スクリーン印刷ないし転写の手法を用いて形成してもよい。
【００２８】
点数表示部５は、矢が突き刺さった位置に応じて当該矢を放った競技者が獲得する点数を表示するものである。
【００２９】
一例として、矢が中心円部５ａに突き刺さったときには最高点である１０点が与えられ、以下、環帯部５ｂが７点、環帯部５ｃが５点、環帯部５ｄが３点、環帯部５ｅが１点とし、矢が環帯部５ｅの外側部５ｆに突き刺さったとき及び矢が台部３を外れたときには０点とする。
【００３０】
競技においては、例えば、各競技者が複数本の矢を放ち、各矢が点数表示部５に突き刺さった位置に応じて与えられた点数の合計値により勝敗を決する。
【００３１】
次に、予備用点数表示部１１について説明する。
【００３２】
予備用点数表示部１１は、的本体１における点数表示部５に矢により多数の穴１３、１３・・・が開いたときに、該点数表示部５上に着脱自在に取り付けられる。
【００３３】
予備用点数表示部１１は、例えば両面粘着テープ、ピン等の固定手段を用いて、的本体１における点数表示部５上に着脱自在に取り付けられる。
【００３４】
予備用点数表示部１１は、例えば低密度発泡ポリエチレン、発泡スチロール等により円板状に形成するが、紙により形成しても差し支えない。
【００３５】
予備用点数表示部１１は、的本体１における点数表示部５と同様に、中心円部１１ａと該中心円部１１ａの外方に該中心円部１１ａと同心に配設された環帯部１１ｂ、１１ｃ・・・とを有する。予備用点数表示部１１は、好ましくは、中心円部１１ａと該中心円部１１ａ近傍の二つの環帯部１１ｂ、１１ｃとを備えている。
【００３６】
中心円部１１ａと環帯部１１ｂ、１１ｃ・・・とは、的本体１における点数表示部５における中心円部５ａ、環帯部５ｂ、５ｃ・・・と同様のものであり、的本体１における点数表示部５における中心円部５ａ、環帯部５ｂ、５ｃ・・・と同様に形成される。
【００３７】
図１、図２に示す予備用点数表示部１１は、円板状体１５の中心に配設された中心円部１１ａと、該中心円部１１ａの外方に該中心円部１１ａと同心に配設された環帯部１１ｂ、１１ｃとを有している。この事例における予備用点数表示部１１は、いわば、的本体１における点数表示部５の中心部附近のみに対応するものである。
【００３８】
図３に示す予備用点数表示部１１’は、円板状体１５’の中心に配設された中心円部１１’ａと、該中心円部１１’ａの外方に該中心円部１１’ａと同心に配設された環帯部１１’ｂ、１１’ｃ、１１’ｄ、１１’ｅとを有している。この事例における予備用点数表示部１１’は、いわば、的本体１における点数表示部５全体に対応するものである。
【符号の説明】
【００３９】
１  的本体
３  台部
５  点数表示部
５ａ  中心円部
５ｂ  環帯部
５ｃ  環帯部
５ｄ  環帯部
５ｅ  環帯部
５ｆ  外側部
１１  予備用点数表示部
１１ａ  中心円部
１１ｂ  環帯部
１１ｃ  環帯部
１１ｄ  環帯部
１１ｅ  環帯部
１１’  予備用点数表示部
１１’ａ  中心円部
１１’ｂ  環帯部
１１’ｃ  環帯部
１１’ｄ  環帯部
１１’ｅ  環帯部
１３  穴
１５  円板状体
１５’  円板状体
【図１】
0003158485.tif 000003
【図２】
0003158485.tif 000004
【図３】
0003158485.tif 000005
【図４】
0003158485.tif 000006
【図５】
0003158485.tif 000007
【図６】
0003158485.tif 000008
【手続補正書】
【提出日】平成22年2月1日(2010.2.1)
【手続補正１】
【補正対象書類名】明細書
【補正対象項目名】０００９
【補正方法】変更
【補正の内容】
【０００９】
すなわち、上記従来の吹矢の的は、発泡体により形成した台部の表面に点数表示部を該台部と一体に備えさせてなるものであるため、使用するにつれ、矢が突き刺さることにより、点数表示部に多数の穴が形成される。しかして、矢が吹矢の的に突き刺さったときに与えられる点数は、後述の如く、点数表示部における中心に近い位置ほど高得点であるため、吹矢の競技者は台部における点数表示部の中心を狙って矢を放つ。したがって、競技者が優れた技量を有する場合には、該点数表示部における中心部近傍に矢の穴が集中する。点数表示部における特に中心部近傍に多数の穴が開いている吹矢の的は、外観上のみならず、使用上も好ましくない。